(57)【要約】【課題】屋外フィールドにおいて、手書き入力内容に対応させた入力場所の位置情報を容易に得られる手書き入力システムを提供する。【解決手段】現在位置データ取得部１０３と、現在位置データに対応する現在位置識別データを生成するプロセッサ部１０５と、手書き入力手段用通信部１０１と、現在位置データ、現在位置識別データ、及びトレースデータを各々対応可能に記憶するメモリ部１０４と、サーバ用通信部１０２とを備えた携帯端末装置１と、現在位置識別データをトレースデータと対応させて記憶するメモリ部１０４と、現在位置識別データの送信要求を生成するプロセッサ部１０５と、手書き入力手段側携帯端末用通信部２０１とを備えた手書き入力手段２と、サーバ側携帯端末用通信部３０１と、受信した各データを記憶するメモリ部３０２とを備えたサーバ装置３とからなる。【選択図】図１
2008242929.tif 000002
【特許請求の範囲】
【請求項１】
手書き入力された内容のトレースデータを送信する手書き入力手段と、前記手書き入力手段から受信した前記トレースデータをサーバ装置に転送する携帯端末装置と、前記トレースデータを蓄積して所定のアプリケーションに適用するサーバ装置とからなる手書き入力システムであって、
前記携帯端末装置は、
現在位置データを取得する現在位置データ取得部と、
前記現在位置データに対応する現在位置識別データを生成し、該現在位置識別データから対応する現在位置データを判別する携帯端末プロセッサ部と、
前記現在位置識別データの送信要求を前記手書き入力手段から受信して、前記現在位置識別データを前記手書き入力手段に送信し、前記トレースデータ及びそれに対応する前記現在位置識別データを前記手書き入力手段から受信する手書き入力手段用通信部と、
前記現在位置データ、前記現在位置識別データ、及び前記トレースデータを各々対応可能に記憶する携帯端末メモリ部と、
前記トレースデータ及びそれに対応する前記現在位置データを前記サーバ装置に送信するサーバ用通信部と
を備え、
前記手書き入力手段は、
前記トレースデータを記憶し、前記現在位置識別データを前記トレースデータと対応させて記憶する手書き入力手段メモリ部と、
前記携帯端末装置に対する前記現在位置識別データの送信要求を生成する手書き入力手段プロセッサ部と、
前記現在位置識別データの送信要求を送信し、前記現在位置識別データを受信し、前記トレースデータ及びそれに対応する前記現在位置識別データを送信する手書き入力手段側携帯端末用通信部と
を備え、
前記サーバ装置は、
前記携帯端末装置と通信可能で前記トレースデータ及びそれに対応する前記現在位置データを受信するサーバ側携帯端末用通信部と、
受信した前記各データを記憶するサーバメモリ部と
を備えることを特徴とする手書き入力システム。
【請求項２】
前記手書き入力手段は、現在の手書き入力手段時刻データを検出する手書き入力手段時計部を備え、
前記手書き入力手段メモリ部は、現在位置識別データを前記トレースデータと前記手書き入力手段時刻データと対応させて記憶し、手書き入力手段側携帯端末用通信部は、前記トレースデータ及びそれに対応する前記現在位置識別データと前記手書き入力手段時刻データを前記携帯端末装置に送信し、
前記携帯端末装置は、現在の携帯端末時刻データを検出する携帯端末時計部を備え、
前記携帯端末メモリ部は、前記現在位置データ及びそれに対応する前記現在位置識別データを前記携帯端末時刻データと対応させて記憶し、
前記手書き入力手段用通信部は、前記トレースデータ及びそれに対応する前記現在位置識別データと前記手書き入力手段時刻データを受信し、
携帯端末メモリ部は、受信した各データを記憶し、
携帯端末プロセッサ部は、携帯端末メモリ部に記憶された現在位置識別データに対応するトレースデータと、前記トレースデータに対応する手書き入力手段時刻データを受信し、
前記サーバ用通信部は、前記トレースデータ及び前記選択された前記現在位置データと前記手書き入力手段時刻データを前記サーバ装置に送信し、
前記サーバ側携帯端末用通信部は、前記トレースデータ及び前記選択された前記現在位置データと前記手書き入力手段時刻データを受信する
ことを特徴とする請求項１に記載の手書き入力システム。
【請求項３】
前記携帯端末装置の前記サーバ用通信部は、前記トレースデータ及びそれに対応する前記現在位置識別データを前記手書き入力手段から受信した後で、前記トレースデータ及びそれに対応する前記現在位置データを前記サーバ装置に送信する前に、
前記サーバ装置にデータ送信の受付要求を送信し、
前記サーバ側携帯端末用通信部は、データ送信の受付要求を受信し、該要求を受付してデータ送信受付通知を前記携帯端末装置に送信し、
前記携帯端末装置の前記サーバ用通信部は、前記サーバ装置からのデータ送信受付通知を受信した後に、前記トレースデータ及びそれに対応する前記現在位置データを前記サーバ装置に送信する
ことを特徴とする請求項１又は２に記載の手書き入力システム。
【請求項４】
前記手書き入力手段プロセッサ部は、手書き入力のＯＦＦが検知された後に、
手書き入力のＯＮを検知して前記手書き入力画像を読取り、トレースデータを記憶する処理と、
手書き入力のＯＦＦを検知して前記手書き入力の読取りを終了し、トレースデータの記憶を複数回繰り返して実行することが可能であり、
前記携帯端末プロセッサ部は、前記現在位置識別データの送信要求を受信して、現在位置識別データを前記手書き入力手段に送信する処理と、
新規に前記現在位置データを取得し、現在位置識別データを生成し、現在位置データに現在位置識別データを対応させて記憶し、現在位置識別データを前記手書き入力手段に送信する処理を複数回繰り返して実行することが可能であり、
前記手書き入力手段プロセッサ部は、前記現在位置識別データを受信し、該現在位置識別データを前記トレースデータと対応させて記憶する処理を複数回繰り返して実行することが可能である
ことを特徴とする請求項１乃至３の何れか１項に記載の手書き入力システム。
【請求項５】
前記手書き入力手段は、複数であって、各々を個別に識別可能な手書き入力手段識別データを記憶する手書き入力手段識別データ蓄積部を備え、
前記手書き入力手段メモリ部は、前記現在位置識別データを前記トレースデータと前記手書き入力手段識別データを対応させて記憶し、
前記手書き入力手段側携帯端末用通信部は、前記トレースデータ及びそれに対応する前記現在位置識別データと手書き入力手段識別データを前記携帯端末装置に送信し、
前記手書き入力手段用通信部は、前記トレースデータ及びそれに対応する前記現在位置識別データと前記手書き入力手段識別データを受信し、
前記サーバ用通信部は、前記トレースデータ及びそれに対応する前記現在位置データと前記手書き入力手段識別データを前記サーバ装置に送信し、
前記サーバ側携帯端末用通信部は、前記トレースデータ及びそれに対応する前記現在位置データと前記手書き入力手段識別データを受信する
ことを特徴とする請求項１乃至４の何れか１項に記載の手書き入力システム。
【請求項６】
前記携帯端末装置から新規の現在位置識別データが前記手書き入力手段に送信される場合に、
前記手書き入力手段用通信部は、前記複数の手書き入力手段識別データ毎に個別に前記トレースデータ及びそれに対応する前記現在位置識別データと手書き入力手段識別データを受信して、携帯端末メモリ部に記憶する
ことを特徴とする請求項５に記載の手書き入力システム。
【請求項７】
前記携帯端末装置は、複数であって、各々を個別に識別可能な携帯端末識別データを記憶する携帯端末識別データ蓄積部を備え、
前記手書き入力手段は、予め設定された接続先の携帯端末識別データを記憶する接続先携帯端末識別データ蓄積部を備え、
前記手書き入力手段側携帯端末用通信部は、記憶された前記携帯端末識別データにより選択された前記携帯端末装置に現在位置識別データの送信要求を送信する
ことを特徴とする請求項５又は６に記載の手書き入力システム。
【請求項８】
前記携帯端末プロセッサ部は、前記トレースデータ及びそれに対応する前記手書き入力手段時刻データと、前記判別された現在位置データに対応する携帯端末時刻データとが異なる場合には、前記手書き入力手段時刻データを前記携帯端末時刻データにより補正する
ことを特徴とする請求項１乃至７の何れか１項に記載の手書き入力システム。
【請求項９】
前記手書き入力手段用通信部と、前記手書き入力手段側携帯端末用通信部は、無線通信手段である
ことを特徴とする請求項１乃至８の何れか１項に記載の手書き入力システム。
【発明の詳細な説明】
【技術分野】
【０００１】
本発明は、手書き入力内容を即座に電子データ化して管理する手書き入力システムに関する。
【背景技術】
【０００２】
屋外フィールドで文字データを入力して送信する方法としては、例えば、屋外で携帯して使用が可能なモバイル・パーソナルコンピュータ、ＰＤＡ（Ｐｅｒｓｏｎａｌ  Ｄｉｇｉｔａｌ  Ａｓｓｉｓｔａｎｔｓ）等の携帯端末装置に備えられたキーボード等から文字入力するか、タッチパネル上のアルファベット表や５０音表をスタイラスペンで指定して、Ｅ−ｍａｉｌの本文中に記載したり他のファイル形式でファイルを作ってメール添付して相手のメールアドレスに送信する方法が知られている。
【０００３】
一方、アノト（登録商標）技術（アノト機能とも称される）を用いた専用の特殊シート上に専用の手書き入力手段であるデジタルペン（以下、電子ペンと記載）で手書きで画像入力して、携帯端末装置経由でサーバ装置に送信し、手書き内容を電子データ化する手書き入力方法が知られている。アノト（登録商標）技術では、微細な特殊ドットパターン（アノトコード）が印刷された特殊シート上に、電子部品と電子回路が組み込まれた電子ペンで手書き入力し、その電子ペンと通信可能である携帯端末装置、及び、その携帯端末装置とネットワーク接続されたサーバ装置を利用することで手書き入力内容のトレースデータを即座に電子データ化して管理する（例えば、特許文献１参照）。
【０００４】
【特許文献１】特開２００４−３４１８３１号公報
【発明の開示】
【発明が解決しようとする課題】
【０００５】
しかしながら、従来の屋外フィールドでキーボードやタッチパネル等から入力する方法は、キーボードやタッチパネル等に不慣れなユーザにとっては手書き入力と比べて使いづらいという問題があった。
【０００６】
又、従来の屋外フィールドで用いられる手書き入力方法は、屋外フィールドからサーバに手書きしたデータを通報できるようにしたのみであり、フィールドで手書きしたデータを後々利用可能な形態でサーバに記録させる点については考慮されていなかった。例えば、屋外フィールドでデータを入力した場合には、入力場所毎で分類してそのデータ入力の内容を後日に使用したり参照する場合があり、その場合は、データ入力位置の情報が各データ毎に必要になる。しかし、従来の手書き入力方法はフィールドからサーバに通報するのみであり、データ入力位置の情報を、データ入力の度に自動的に得ることはできなかった。従来の手書き入力方法で入力場所の位置情報が必要な場合は、入力内容中や入力内容に対応させてユーザが入力場所の位置情報を個別に記入する必要があった。しかし、ユーザが入力内容に対応させた個別の位置情報を記入することを忘れた場合には、各手書き入力内容の入力場所が不明になり、入力場所毎で分類して入力内容を用いる場合等には入力内容の使用が困難になる場合があった。
【０００７】
本発明は、上述した課題を解決するためになされたものであって、使用者が移動中等の屋外フィールドにおいて、手書き入力内容に対応させた入力場所の位置情報を、その入力内容に対応させて自動的に得ることができる手書き入力システムを提供することを目的とする。
【課題を解決するための手段】
【０００８】
上記した目的を達成するため、本発明の手書き入力システムは、手書き入力された内容のトレースデータを送信する手書き入力手段と、前記手書き入力手段から受信した前記トレースデータをサーバ装置に転送する携帯端末装置と、前記トレースデータを蓄積して所定のアプリケーションに適用するサーバ装置とからなる手書き入力システムであって、前記携帯端末装置は、現在位置データを取得する現在位置データ取得部と、前記携帯端末装置内の各部を制御すると共に前記現在位置データに対応する現在位置識別データを生成し、該現在位置識別データから対応する現在位置データを判別する携帯端末プロセッサ部と、前記現在位置識別データの送信要求を前記手書き入力手段から受信して、前記現在位置識別データを前記手書き入力手段に送信し、前記トレースデータ及びそれに対応する前記現在位置識別データを前記手書き入力手段から受信する手書き入力手段用通信部と、前記現在位置データ、前記現在位置識別データ、及び前記トレースデータを各々対応可能に記憶する携帯端末メモリ部と、前記トレースデータ及びそれに対応する前記現在位置データを前記サーバ装置に送信するサーバ用通信部とを備え、
前記手書き入力手段は、前記トレースデータを記憶し、前記現在位置識別データを前記トレースデータと対応させて記憶する手書き入力手段メモリ部と、前記手書き入力手段内の各部を制御すると共に前記携帯端末装置に対する前記現在位置識別データの送信要求を生成する手書き入力手段プロセッサ部と、前記現在位置識別データの送信要求を送信し、前記現在位置識別データを受信し、前記トレースデータ及びそれに対応する前記現在位置識別データを送信する手書き入力手段側携帯端末用通信部とを備え、
前記サーバ装置は、前記携帯端末装置と通信可能で前記トレースデータ及びそれに対応する前記現在位置データを受信するサーバ側携帯端末用通信部と、受信した前記各データを記憶するサーバメモリ部とを備える。
【発明の効果】
【０００９】
本発明の手書き入力システムは、使用者が移動中等の屋外フィールドにおいて、手書き入力内容に対応させた入力場所の位置情報を、入力内容に対応させて自動的に得ることができる。
【発明を実施するための最良の形態】
【００１０】
以下、本発明の実施形態を図面に従って説明する。
【００１１】
（実施形態１）
図１は、本発明の実施形態１の手書き入力システムの概略構成を示すブロック図である。
尚、本実施形態では手書き入力手段がアノト技術を用いた電子ペンの場合について説明するが、一般的なモバイル・パーソナルコンピュータ、又は、ＰＤＡ等に内蔵あるいは接続されたタブレット等から手書き入力してもよい。
以下、アノト技術の概略について説明しながら、本実施形態に独自の構成及び機能等について説明する。アノト技術により手書き入力内容を電子データ化するシステムでは、特殊なドットパターンが印刷された専用の記録媒体である特殊シート４上に、ボールペン等が組み込まれた筆記部２０８に画像を撮像できるイメージセンサ部２０３と画像データ等を記憶（蓄積）できる電子ペンメモリ部２０５が内蔵された専用の手書き入力手段である電子ペン２で、手書き（５０１）されたトレースデータを撮像して読み取り（５０３）、外部装置と通信可能である携帯端末装置１、及び、その携帯端末装置１とネットワーク接続されたサーバ装置３を利用することにより、容易にデジタルデータ化することができる。
【００１２】
アノト技術を用いた特殊シート４は、微細な特殊ドットパターンであるアノトコード（仮想的な有限の平面領域に広がる縦横０．３ｍｍ間隔の格子が直交する点から上下左右のいずれかの方向にごくわずかにずれた点が並び、縦横に６×６ドットの計３６ドットの組み合わせが１．８ｍｍ平方のグリッド毎に全て異なるパターン）が印刷される。アノト技術の特殊シート４では、縦横６×６の３６のドットがそれぞれ４通りの位置を持つため、４の３６乗のユニークなアノトパターンが作成可能である。特殊シート４上に印刷されたアノトパターンが予めわかっていれば、アノトコードは平面領域上のある位置を中心点とした単位領域内のドットパターンが他の位置を中心点とした単位領域内のドットパターンと一致しないパターンであるため、電子ペン２の軌跡である手書きのトレースデータが特殊シート４上のどの位置に書かれたかという座標位置の特定が可能となる。アノト技術では、特殊シート４にはＩＤ情報が設定され、そのＩＤ情報により対応するアプリケーションソフトウェアを設定することができ、更に、特殊シート４の部分毎にドットパターンにより異なる機能を割り当てることができることから、部分毎に対応するアプリケーションソフトウェアを設定することができる。
【００１３】
アノト技術を用いた専用の電子ペン２は、例えば炭素質のインクカートリッジを備えるボールペン等の筆記部２０８、手書き内容が書き込まれる際に１．８ｍｍ角の範囲のアノトパターン（先述の通り縦横６×６ドット＝計３６ドット）の画像データを１秒間に７５枚以上という高速のスナップショットで撮像する小型ＣＭＯＳ素子のイメージセンサ部２０３、電子ペン２各部の動作を制御すると共に撮像されたアノトパターンの仮想的な有限の平面領域内における座標位置と入力画像データから特殊シート４上の手書き入力位置を連続して検出することでトレースデータを生成する演算手段である電子ペンプロセッサ部２０６、例えばＡ５約４０ページ分までの暗号化されたトレースデータ｛電子ペン２のアノトパターンによる複数の座標位置データ、電子ペン２の軌跡（書き順）、日時（電子ペン時刻データ）、書く速さ、筆圧（５０２：手書き入力の強さ）、電子ペン２の傾き等｝を記憶する１ＭＢ以上の電子ペンメモリ部２０５、外部の携帯端末装置１とＵＳＢ接続や無線のＢｌｕｅｔｏｏｔｈ（登録商標）通信等により通信（６０１、６０２）が可能であって記憶されたデータを携帯端末装置１に転送可能である通信手段である電子ペン側携帯端末用通信部２０１、トレースデータを生成して記憶及び通信しながらの連続筆記時間が例えば２時間以上であるバッテリー部２０７、電子ペン２で書き込み（５０１）をする際の筆圧（５０２：手書き入力）のＯＮ／ＯＦＦを検出するペン圧力感知部２０２が内蔵される。
【００１４】
又、本実施形態の電子ペン２は電子ペン時計部２０４を有し、その電子ペン時計部２０４は、筆記部２０８により特殊シート４にトレースデータが記入された時点の現在時刻（年月日を含む）を電子ペン時刻データとして検出する。電子ペンメモリ部２０５は、トレースデータと電子ペン時刻データを記憶するだけでなく、携帯端末装置１から受信したＧＰＳ−ＩＤデータ（現在位置識別データ）を、トレースデータ及び電子ペン時刻データと対応させて記憶する。ＧＰＳ−ＩＤデータは、携帯端末装置１において、地球上の経度及び緯度を座標とする現在位置のＧＰＳ（グローバル・ポジショニング・システム）座標位置データ（現在位置データ）を取得（７０１、７０２）した場合の、その現在位置データに対応して識別（ＩＤ）可能であるように生成されたデータである。電子ペンプロセッサ部２０６は、携帯端末装置１に対するＧＰＳ−ＩＤデータの送信要求を生成する。電子ペン側携帯端末用通信部２０１は、ＧＰＳ−ＩＤデータの送信要求を送信（６０２）し、ＧＰＳ−ＩＤデータを受信（６０１）し、トレースデータ及びそれに対応するＧＰＳ−ＩＤデータと電子ペン時刻データを送信（６０２）する。
【００１５】
ＧＰＳ座標位置データは、一般的にＮＥＭＡ−０１８３標準フォーマットのＧＰＧＧＡセンテンスで出力され、例えば、「＄ＧＰＧＧＡ，０１１７２３，３８０１．３３４，Ｎ，１４０５８．１２７，Ｅ，１，８，１．３，５８．３，Ｍ，３７．２，Ｍ，０，０＊７Ａ」のようなセンテンスである。「＄ＧＰＧＧＡ」がＧＰＳ受信機のＧＰＳ測位結果を示し、次の「０１１７２３」が０１時１７分２３秒の即位時刻を示し、次の「３８０１．３３４，Ｎ」が北緯３８度１．３３４分の緯度座標位置を示し、次の「１４０５８．１２７，Ｅ」が東経１４０度５８．１２７分を示し、「１，８，１．３，５８．３，Ｍ，３７．２，Ｍ，０，０＊７Ａ」は、ＧＰＳ単独即位で、即位に使用した衛星数が８個で、ＨＤＯＰ値が１．３で、海抜高度が５８．３ｍで、ジオイド高が３７．２ｍで、ＤＧＰＳ補正データの古さが０で、残りがＤＧＰＳ基準局ＩＤとチェックサムである。
【００１６】
ＧＰＳ−ＩＤデータは、上記したＧＰＳ座標位置データのように長いセンテンスである必要は無く、各トレースデータ毎にＧＰＳ座標位置データを対応付けられればよいので、例えばトレースデータが数十個であれば、２桁の数字又はアルファベット等の文字列又はそれらの組み合わせ等の簡略なＩＤデータとすることができる。従って、ＧＰＳ−ＩＤデータは、ＧＰＳ座標位置データに比べて非常に短い単純なデータにできるので、メモリに記憶させる場合には、使用する記憶容量を低減させることができる。
【００１７】
アノト技術を用いた携帯端末装置１は、電子ペン２と通信可能である第１の通信手段である電子ペン用通信部１０１と、外部のサーバ装置３と通信可能である第２の通信手段であるサーバ用通信部１０２と、トレースデータを記憶する携帯端末メモリ部１０４と、携帯端末装置１の各部の動作を制御すると共に電子ペン用通信部１０１で受信した電子ペン２からのデータをサーバ用通信部１０２からサーバ装置３に送信（８０２）する携帯端末プロセッサ部１０５を備えている。
【００１８】
本実施形態の携帯端末装置１は、電子ペン２の使用者に携帯されるか、移動体の内部等では電子ペン２とほぼ同位置の座標位置データが得られるように電子ペン２の近傍に配置され、更に、地球上の経度及び緯度を座標とする現在位置のＧＰＳ座標位置データを現在位置データとして取得（７０１、７０２）するＧＰＳデータ取得部１０３（現在位置データ取得部）と、現在の携帯端末時刻データを検出する携帯端末時計部１０６を備える。携帯端末プロセッサ部１０５は、ＧＰＳ座標位置データを個別に認識可能であるＧＰＳ−ＩＤデータを生成するＧＰＳ−ＩＤ生成部として機能する。電子ペン用通信部１０１は、ＧＰＳ−ＩＤデータの送信要求を電子ペン２から受信して、ＧＰＳ−ＩＤデータを電子ペン２に送信（６０１）し、トレースデータ及びそれに対応するＧＰＳ−ＩＤデータと電子ペン時刻データを電子ペン２から受信する。携帯端末プロセッサ部１０５は、携帯端末メモリ部１０４に記憶されたトレースデータ及びそれに対応するＧＰＳ座標位置データと電子ペン時刻データを、まず、電子ペン２の電子ペン時刻データに対して携帯端末装置１の携帯端末時刻データに基づく補正を行い、その補正した電子ペン２の電子ペン時刻データに基づいて時刻順に並べ替える。携帯端末メモリ部１０４は、トレースデータ及びそれに対応するＧＰＳ−ＩＤデータとＧＰＳ座標位置データと電子ペン時刻データを各々対応可能に記憶する。サーバ用通信部１０２は、トレースデータ及びそれに対応するＧＰＳ座標位置データと電子ペン時刻データをサーバ装置３に送信（８０２）する。
【００１９】
アノト技術を用いた手書き入力システムのサーバ装置３は、携帯端末装置１と通信可能でトレースデータを受信する通信手段であるサーバ側携帯端末用通信部３０１と、受信した前記各データを記憶する記憶部であるサーバメモリ部３０２と、サーバ装置３の各部の動作を制御すると共に手書き入力内容のトレースデータを少なくとも所定のアプリケーションソフトウェアに適用又は適用可能であるように管理するサーバプロセッサ部３０３を備えている。又、トレースデータをＯＣＲ（光学式文字読取）ソフトウェアにより変換する場合には、サーバプロセッサ部３０３は、変換部としても機能する。
【００２０】
本実施形態の手書き入力システムのサーバ装置３では、サーバ側携帯端末用通信部３０１は、トレースデータ及びそれに対応するＧＰＳ座標位置データと手書き入力手段時刻データを受信し、サーバメモリ部３０２は、トレースデータ及びそれに対応するＧＰＳ座標位置データと電子ペン時刻データを記憶し、サーバプロセッサ部３０３は、少なくとも記憶されたトレースデータを所定のアプリケーションソフトウェアに適用可能であるように管理する。
【００２１】
本実施形態の所定のアプリケーションソフトウェアとは、例えば、ＯＣＲ（光学式文字読取）ソフトウェアであり、受信した手書き文字のトレースデータをＡＳＣＩＩコード等の文字データに変換して、後に別のソフトウェアで個別に使用可能であるように各入力内容をテーブル型式等にして記憶する。以下、アプリケーションソフトウェアがＯＣＲソフトウェアである場合について説明するが、本発明のアプリケーションソフトウェアはこれに限らず、例えば手書き図形のトレースデータの場合は、その手書き図形をドット毎のデータとしてそのまま記憶させるか、手書き図形を数式等で示される線等に変換して記憶するソフトウェアであってもよい。
【００２２】
アノト技術により手書きのトレースデータを電子データ化する方法としては、例えば、電子ペン２により用紙上に手書き内容（文字、図）が記入されると、電子ペン２に内蔵されたイメージセンサ部２０３（撮像装置）により、電子ペン２が通過した用紙上の手書きのトレースデータと周辺のアノトコードを含んだ領域のイメージ画像が撮像される。電子ペン２では、そのイメージ画像からアノトパターンによる座標位置データとトレースデータ（書き順、書く速度、筆圧、電子ペン２の傾き、書いた日時を含む）が刻々と検出され、トレースデータが即時にデジタル化され、内蔵電子ペンメモリ部２０５に保存される。電子ペン２のＩＤデータと特殊シート４のＩＤデータが携帯端末装置１を介してサーバ装置３に送信（８０２）される。サーバ装置は、電子ペン２のＩＤデータを識別し、トレースデータ及び時刻データを記憶し、特殊シート４のＩＤデータに対応するアプリケーションソフトウェアを検出して、そのアプリケーションソフトウェアに電子ペン２からのトレースデータを適用する。サーバ装置３は、自サーバ装置内のアプリケーションソフトウェアにトレースデータが適用できなければ、適用可能であるアプリケーションソフトウェアを内蔵するサーバ装置のＵＲＬを携帯端末装置１に返信する。携帯端末装置１は、保存されたトレースデータを適用可能であるアプリケーションソフトウェアを内蔵するサーバ装置３に送信（８０２）する。サーバ装置のアプリケーションソフトウェアがトレースデータを処理して文字データに電子データ化する。尚、本実施形態では、電子ペン２のトレースデータを適用可能であるアプリケーションソフトウェアをサーバ装置に格納させる場合について示したが、携帯端末装置１に十分なメモリ容量と処理能力を有する場合にはアプリケーションソフトウェアを携帯端末装置１に内蔵させ、携帯端末装置１でトレースデータを文字データに電子データ化してからサーバ装置３に送信（８０２）してもよい。
【００２３】
図２は、図１の手書き入力システムの動作のシーケンスチャートである。図３は図１の電子ペン２の動作を示すフローチャートであり、図４は図１の携帯端末装置１の動作を示すフローチャートであり、図５は、図１のサーバ装置３の動作を示すフローチャートである。図６は、図１の電子ペン２における蓄積されたデータを携帯端末装置１に送信する送信条件のフローチャートである。
【００２４】
以下、図１及び図２のシーケンスを参照しつつ、図３、図４、及び、図５の各動作ステップに従い動作を説明する。尚、（  ）内の数字は、３桁の数字が図１に記載され、４桁以上の数字が図２に記載され、Ｓ番号が図３、図４、及び、図５に記載されたステップ番号である。
電子ペン２で、電子ペン２の筆記部２０８が特殊シート４に置かれて特殊シート４への書き込み（５０１）が開始（１００１）されると、電子ペン２の電子ペンプロセッサ部２０６では、筆圧（５０２）がＯＮされたか否かを判断し（Ｓ１１）、電子ペン２のペン圧力感知部２０２がその筆圧ＯＮを検知（２００１）する。筆圧ＯＮが検知されない場合（Ｓ１１：Ｎｏ）には、電子ペン２はステップＳ１１の判断を繰り返す。筆圧ＯＮが検知される場合（Ｓ１１：Ｙｅｓ）には、電子ペン２は、電子ペン時計部２０４からその書き込みが行われた時刻（年月日を含む）の電子ペン時刻データを取得する（３００１）（Ｓ１２）。
【００２５】
電子ペン２は、（２００１）の筆圧ＯＮをトリガとして、電子ペン側携帯端末用通信部２０１及び携帯端末装置１の電子ペン用通信部１０１を介して、携帯端末装置１へＧＰＳ−ＩＤデータを取得するために送信要求を送信（６０２）（４００１）する（Ｓ１３）。又、筆圧ＯＮが検知されると電子ペン２は、イメージセンサ部２０３により手書き入力された内容が電子データ化された文字の筆跡の画像を読取り（５０３）（２００２）、その読取り内容から電子ペンプロセッサ部２０６でトレースデータとして電子ペン時刻データと共に電子ペンメモリ部２０５への記憶を開始する（３００２）（Ｓ１４）。
【００２６】
携帯端末装置１は、現在の携帯端末時刻データを検出する携帯端末時計部１０６を備え、電子ペン２からのＧＰＳ−ＩＤデータの送信要求が有ったか否かを判断する（Ｓ３１）。電子ペン２からのＧＰＳ−ＩＤデータの送信要求を受信（６０２）した場合（Ｓ３１：Ｙｅｓ）には、帯端末装置１は、ＧＰＳデータ取得部１０３によりＧＰＳ座標位置データを取得（５５０１）し（Ｓ３２）、ＧＰＳ座標位置データに対してＧＰＳ−ＩＤデータを生成して付与（５５０２）することでＧＰＳ−ＩＤを取得し（Ｓ３３）、ＧＰＳ座標位置データにＧＰＳ−ＩＤデータと携帯端末時刻データを対応させて記憶（５５０３）する（Ｓ３４）と共に、そのＧＰＳ−ＩＤデータを電子ペン２に送信（６０１）（５００１）する（Ｓ３５）。
【００２７】
図７は、実施形態１の携帯端末装置１のメモリ部１０６に蓄積されるＧＰＳ−ＩＤデータ、及びＧＰＳ座標位置データ一例を示すテーブルである。
ＧＰＳ  Ｄａｔａ欄のＧＰＳ  ＤａｔａＡ、Ｂ、Ｔは、各々携帯端末装置１のその時点の位置においてＧＰＳデータ取得部１０３で得られたＧＰＳ座標位置データである。ＧＰＳ−ＩＤデータ欄のＧＰＳ−ＩＤ−１〜３は、各ＧＰＳ座標位置データに対応して携帯端末プロセッサ部１０５で生成されたＧＰＳ−ＩＤデータである。メモリ部１０６内では、図７に示したようにＧＰＳ−ＩＤ−１には、ＧＰＳ  Ｄａｔａ  Ａが対応するように蓄積され、ＧＰＳ−ＩＤ−２には、ＧＰＳ  Ｄａｔａ  Ｂが対応するように蓄積され、ＧＰＳ−ＩＤ−３には、ＧＰＳ  Ｄａｔａ  Ｔが対応するように蓄積される。
【００２８】
電子ペン２は、ＧＰＳ−ＩＤデータを受信（６０１）したか否かを判断し（Ｓ１５）、ＧＰＳ−ＩＤデータを受信（６０１）していない場合（Ｓ１５：Ｎｏ）には、電子ペン２はステップＳ１５の判断を繰り返し、ＧＰＳ−ＩＤデータを受信（６０１）している場合（Ｓ１５：Ｙｅｓ）には、電子ペン２の筆記部２０８が特殊シート４から離れて特殊シート４への書き込みが終了（１００２）し、電子ペン２が、筆圧のＯＦＦを検知（２００３）したか否かを判断する（Ｓ１６）。筆圧のＯＦＦを検知していない場合（Ｓ１６：Ｎｏ）には、電子ペン２はステップＳ１５の判断を繰り返す。筆圧のＯＦＦを検知する場合（Ｓ１６：Ｙｅｓ）には、イメージセンサ部２０３による手書き入力された内容が電子データ化された画像の読取り（５０３）を終了（２００４）し、読取り内容からの得られたトレースデータの記憶を終了（３００３）（Ｓ１７）し、ＧＰＳ−ＩＤデータをトレースデータと電子ペン時刻データと対応させて記憶（３００４）する（Ｓ１８）。
【００２９】
図８は、実施形態１の電子ペン２のメモリ部２０５に蓄積された電子ペンデータ番号、電子ペン時刻データ、ＧＰＳ−ＩＤデータ、及びトレースデータの一例を示すテーブルである。
電子ペンデータ番号（Ｎｏ．）欄の００１、００２、０２０等は、電子ペンにトレースデータが蓄積される毎に、個々のデータの識別および順番付けのために付与される昇順の連続番号である。この番号は３桁に限らず、電子ペンに蓄積されるトレースデータの量に応じて、１桁や２桁、あるいはさらに多くの桁数を有していてもよい。電子ペン内蓄積データ欄の電子ペン時刻データ１〜２０は、各々電子ペン２にトレースデータ１〜２０が蓄積される時に電子ペン時計部２０４で検出された電子ペン時刻データである。ＧＰＳ−ＩＤ−１〜２０は、各々電子ペン２にトレースデータ１〜２０が蓄積される時に携帯端末装置１から受信（６０１）したＧＰＳ−ＩＤデータである。トレースデータ１〜２０は、筆圧ＯＮから筆圧ＯＦＦまでの手書き画像がイメージセンサ部２０３で撮像されて電子ペンプロセッサ部２０６で生成されたトレースデータである。メモリ部２０５内では、図８に示したように、電子ペンデータＮｏ．００１には、電子ペン時刻データ１と、ＧＰＳ−ＩＤ−１と、トレースデータ１が各々対応するように蓄積され、電子ペンデータＮｏ．００２には、電子ペン時刻データ２と、ＧＰＳ−ＩＤ−２と、トレースデータ２が各々対応するように蓄積され、電子ペンデータＮｏ．００２０には、電子ペン時刻データ２０と、ＧＰＳ−ＩＤ−２０と、トレースデータ２０が各々対応するように蓄積される。
【００３０】
ここで、電子ペン２からトレースデータを携帯端末装置１に送信（６０２）する場合の判断方法について図６を用いて説明する。電子ペン２の電子ペンプロセッサ部２０６は、前回の書き込みから電子ペン時計部２０４の計時で１０秒以上書き込みが無い（筆圧ＯＦＦ）か否か（送信条件）を判断する（Ｓ６１）。１０秒以内に書き込みがあった場合（Ｓ６１：Ｎｏ）には、再びステップＳ１に戻って処理を繰り返し、１０秒以上書き込みが無い場合（Ｓ６１：Ｙｅｓ）には、電子ペンメモリ部２０５に書き込まれたデータが有るか否かを判断する（Ｓ６２）。
【００３１】
書き込まれたデータが無い場合（Ｓ６２：Ｎｏ）には、再びステップＳ１に戻って処理を繰り返し、書き込まれたデータが有った場合（Ｓ６２：Ｙｅｓ）には、データ送信指定（３０１０）が発生し、蓄積されたデータを携帯端末装置１に送信（６０２）（４００３）するためのデータ送信要求（４００２）を携帯端末装置１の電子ペン用通信部１０１へ送信（６０２）する（Ｓ６３）。
【００３２】
電子ペン２は、データ送信指定（３０１０）が有るか否かを判断する（Ｓ１９）。データ送信指定が無い場合（Ｓ１９：Ｎｏ）には、ステップＳ１１と同様に筆圧がＯＮされたか否かを判断し（Ｓ２０）、電子ペン２のペン圧力感知部２０２がその筆圧ＯＮを検知（２００１）する。筆圧ＯＮが検知されない場合（Ｓ２０：Ｎｏ）には、電子ペン２はステップＳ１９に戻って判断を繰り返す。筆圧ＯＮが検知された場合（Ｓ２０：Ｙｅｓ）には、電子ペン２はステップＳ１２に戻って以降の処理を繰り返す。
【００３３】
データ送信指定が有った場合（Ｓ１９：Ｙｅｓ）には、電子ペン２は、上記ステップＳ１８において、ＧＰＳ−ＩＤデータを受信（６０１）して記憶した後で、トレースデータ及びそれに対応するＧＰＳ−ＩＤデータを携帯端末装置１に送信（６０２）（４００３）する前に、携帯端末装置１にデータ送信の受付要求を送信（６０２）（４００２）する（Ｓ２１）。
【００３４】
携帯端末装置１は、電子ペン２からのＧＰＳ−ＩＤデータの送信要求を受信（６０２）しない場合（Ｓ３１：Ｎｏ）には、データ送信の受付要求（４００２）を受信（６０２）したか否かを判断し（Ｓ３６）、受付要求を受信（６０２）しない場合（Ｓ３６：Ｎｏ）には、再びステップＳ３１に戻って以降の処理を繰り返し、受付要求（４００２）を受信（６０２）した場合（Ｓ３６：Ｙｅｓ）には、その要求を受付（５５０４）して、データ送信の受付が可能であることを示すデータ送信受付通知を、携帯端末装置１の電子ペン用通信部１０１から電子ペン２の電子ペン側携帯端末用通信部２０１ヘ送信（６０１）（５００２）する（Ｓ３７）。
【００３５】
電子ペン２は、携帯端末装置１からのデータ送信受付通知（５００２）を受信（６０１）したか否かを判断する（Ｓ２２）。データ送信受付通知（５００２）を受信（６０１）しない場合（Ｓ２２：Ｎｏ）には、電子ペン２はステップＳ２２の判断を繰り返す。
【００３６】
電子ペン２の電子ペン側携帯端末用通信部２０１で、携帯端末装置１の電子ペン用通信部１０１から、データ送信受付（５００２）を受信（６０１）した場合（Ｓ２２：Ｙｅｓ）には、電子ペン２は、トレースデータ及びそれに対応するＧＰＳ−ＩＤデータと電子ペン時刻データのセットを単位としてひとつもしくは複数のセットを、電子ペン２の電子ペン側携帯端末用通信部２０１から携帯端末装置１の電子ペン用通信部１０１に送信（６０２）（４００３）する（Ｓ２３）。
【００３７】
携帯端末装置１は、トレースデータ及びそれに対応するＧＰＳ−ＩＤデータと電子ペン時刻データのデータ受信（６０２）が開始されたか否かを判断する（Ｓ３８）。データ受信（６０２）が開始されない場合（Ｓ３８：Ｎｏ）には、再びステップＳ３８の判断を繰り返す。データ受信（６０２）が開始された場合（Ｓ３８：Ｙｅｓ）には、ＧＰＳ−ＩＤデータと電子ペン時刻データを受信（６０２）して記憶し、ＧＰＳ−ＩＤデータをＧＰＳ座標位置データに変換（５５１０）する（Ｓ３９）。携帯端末装置１は、トレースデータ及びそれに対応するＧＰＳ−ＩＤデータと電子ペン時刻データのデータ受信（６０２）が終了したか否かを判断する（Ｓ４０）。データ受信（６０２）が終了しない場合（Ｓ４０：Ｎｏ）には、再びステップＳ３９に戻って処理を繰り返す。
【００３８】
図９は、電子ペン２から受信（６０２）した図８のテーブルのデータ中のＧＰＳ−ＩＤデータを、図７のテーブルによりＧＰＳ座標位置データに変換して実施形態１の携帯端末装置１のメモリ部１０６に蓄積された電子ペンデータ番号、電子ペン時刻データ、ＧＰＳ−ＩＤデータ、及びトレースデータの一例を示すテーブルである。データ番号（Ｎｏ．）欄の００１、００２、０２０等は、は、図７の電子ペンデータ番号（Ｎｏ．）欄に相当する昇順の連続番号である。送信データ欄の時刻データ１〜２０は、各々携帯端末装置１でＧＰＳ座標位置データが取得されて蓄積される時の携帯端末時計部１０６で検出された携帯端末時刻データである。ＧＰＳ  Ｄａｔａ  Ａ〜Ｔは、ＧＰＳデータ取得部１０３で取得されたＧＰＳ座標位置データである。トレースデータ１〜２０は、電子ペン２から受信（６０２）したトレースデータであり、各トレースデータと共に受信（６０２）したＧＰＳ−ＩＤデータに対応するＧＰＳ座標位置データに対応するように記憶される。メモリ部１０４内では、図９に示したように、データＮｏ．００１には、携帯端末時刻データ１と、ＧＰＳ  Ｄａｔａ  Ａと、トレースデータ１が各々対応するように蓄積され、データＮｏ．００２には、携帯端末時刻データ２と、ＧＰＳ  Ｄａｔａ  Ｂと、トレースデータ２が各々対応するように蓄積され、データＮｏ．００２０には、携帯端末時刻データ２０と、ＧＰＳ  Ｄａｔａ  Ｔと、トレースデータ２０が各々対応するように蓄積される。この各データが後で携帯端末装置１からサーバ装置３に送信（８０２）される。
【００３９】
データ受信（６０２）が終了した場合（Ｓ４０：Ｙｅｓ）には、携帯端末装置１は、上記（ステップＧ）において、トレースデータ及びそれに対応するＧＰＳ−ＩＤデータを受信（６０２）した後で、トレースデータ及びそれに対応するＧＰＳ座標位置データをサーバ装置３に送信（８０２）（６００２）する前に、サーバ装置３にデータ送信の受付要求を送信（８０２）（６００１）する（Ｓ４１）。
【００４０】
サーバ装置３は、携帯端末装置１からのデータ送信の受付要求（６００１）をサーバ側携帯端末用通信部３０１で受信（８０２）したか否かを判断する（Ｓ５１）。受付要求（６００１）を受信（８０２）しない場合（Ｓ５１：Ｎｏ）には、再びステップＳ５１に戻って処理を繰り返す。受付要求（６００１）を受信（８０２）した場合（Ｓ５１：Ｙｅｓ）には、その要求を受付（８００１）してデータ送信の受付通知を携帯端末装置１に送信（８０１）（６００２）する（Ｓ５２）。
【００４１】
携帯端末装置１は、サーバ装置３からのデータ送信受付通知を受信（８０１）したか否かを判断する（Ｓ４２）。データ送信受付通知を受信（８０１）しない場合（Ｓ４２：Ｎｏ）には、再びステップＳ４２の判断を繰り返す。データ送信受付通知を受信（８０１）した場合（Ｓ４２：Ｙｅｓ）には、記憶された電子ペン時刻データに対応するトレースデータと、電子ペン時刻データと同じ携帯端末時刻データに対応するＧＰＳ座標位置データを選択し、トレースデータ及び選択されたＧＰＳ座標位置データと手書き入力手段時刻データをサーバ装置３に送信（８０２）（６００２）する（Ｓ４３）。この場合の携帯端末装置１からサーバ装置３に送信（８０２）されるデータは、図９に示された各データである。
【００４２】
サーバ装置３は、携帯端末装置１からのトレースデータ及びＧＰＳ座標位置データと手書き入力手段時刻データ（６００２）の受信（８０２）が開始されたか否かを判断する（Ｓ５３）。データ（６００２）を受信（８０２）しない場合（Ｓ５３：Ｎｏ）には、再びステップＳ５３に戻って処理を繰り返す。データ（６００２）を受信（８０２）した場合（Ｓ５３：Ｙｅｓ）には、サーバ側携帯端末用通信部３０１にて受信（８０２）しサーバメモリ部３０２へ各データを記憶（８００２）する（Ｓ５４）と共に、ＯＣＲ（光学式文字読取）ソフトウェアに記憶した各データを適用する。サーバ装置３は、トレースデータ及びそれに対応するＧＰＳ座標位置データと手書き入力手段時刻データのデータ受信（８０２）が終了したか否かを判断する（Ｓ５５）。データ受信（８０２）が終了しない場合（Ｓ５５：Ｎｏ）には、再びステップＳ５４に戻って処理を繰り返す。データ受信（８０２）が終了した場合（Ｓ５５：Ｙｅｓ）には、サーバ装置３は、再びステップＳ５１に戻って処理を繰り返す。
【００４３】
（電子ペン２の繰り返し処理９０１０）
電子ペン２は、上記ステップＳ１８における、電子ペン２の筆記部２０８が特殊シート４から離れて特殊シート４への書き込みが終了（１００２）した場合に、電子ペン２は、筆圧のＯＦＦを検知（２００３）して、イメージセンサ部２０３による手書き入力された内容が電子データ化された画像の読取りを終了（２００４）する。読取り内容からの得られたトレースデータの記憶を終了（３００３）した後に、上記（ステップＡ）における、電子ペン２の筆記部２０８が特殊シート４に置かれて特殊シート４への書き込みが開始（１００１）されると、電子ペン２のペン圧力感知部２０２がその筆圧ＯＮを検知（２００１）し、電子ペン２は、この筆圧ＯＮをトリガとして、電子ペン側携帯端末用通信部２０１と、携帯端末装置１の電子ペン用通信部１０１を介して携帯端末装置１へＧＰＳ−ＩＤデータの要求を行う（４００１）。
【００４４】
その際に電子ペン２は、電子ペン時計部２０４からその書き込みが行われた時刻（年月日を含む）の電子ペン時刻データを取得する（３００１）。それと共に電子ペン２は、イメージセンサ部２０３により手書き入力された内容が電子データ化された文字の筆跡の画像を読取る（２００２）。その読取り内容から電子ペンプロセッサ部２０６でトレースデータとして電子ペン時刻データと共に電子ペンメモリ部２０５への記憶を開始（３００２）する処理と、上記ステップＳ１８における、電子ペン２の筆記部２０８が特殊シート４から離れて特殊シート４への書き込みが終了（１００２）した場合に、電子ペン２は、筆圧のＯＦＦを検知（２００３）して、イメージセンサ部２０３による手書き入力された内容が電子データ化された画像の読取りを終了（２００４）し、読取り内容からの得られたトレースデータの記憶を終了（３００３）する処理を繰り返す。
【００４５】
上記（電子ペン２の繰り返し処理９０１０）における、電子ペン２のペン圧力感知部２０２による筆圧ＯＮの検知（２００１）から、筆圧のＯＦＦを検知（２００３）してトレースデータの記憶を終了（３００３）する処理が繰り返される場合には、図６を用いて上記したように、電子ペン２では、その繰り返し処理が終了した場合に、蓄積されたトレースデータを携帯端末装置１に送信（６０２）（４００３）する判断（送信条件を満足させること）が必要になる。
【００４６】
（携帯端末装置１の繰り返し処理９０３０）
携帯端末装置１は、上記（ステップＣ）における、電子ペン２からＧＰＳ−ＩＤデータの送信要求（４００１）を受信（６０２）し、ＧＰＳデータ取得部１０３によりＧＰＳ座標位置データを取得（５５０１）した後に、ＧＰＳ座標位置データに対してＧＰＳ−ＩＤデータを生成して付与（５５０２）してＧＰＳ座標位置データにＧＰＳ−ＩＤデータと手書き入力手段時刻データを対応させて記憶（５５０３）すると共に、そのＧＰＳ−ＩＤデータを電子ペン２に送信（６０１）（５００１）する処理を繰り返す。
【００４７】
（電子ペン２の繰り返し処理９０２０）
電子ペン２は、上記ステップＳ１５〜Ｓ１８における、ＧＰＳ−ＩＤデータを受信（６０１）し、そのＧＰＳ−ＩＤデータをトレースデータと電子ペン時刻データと対応させて記憶（３００４）する処理を繰り返す。
【００４８】
以上のように、実施形態１の手書き入力システムによれば、サーバ装置３では、各トレースデータを受信（８０２）する際に、それらに対応するＧＰＳ座標位置データと手書き入力手段時刻データを受信（８０２）できるので、使用者が移動中等の屋外フィールドにおける手書き入力内容に対応させた入力場所の位置情報を、入力内容に対応させて自動的に得ることができる。
【００４９】
又、実施形態１の手書き入力システムによれば、ＧＰＳ座標位置データを携帯端末装置１に記憶し、これに対応するＧＰＳ−ＩＤデータを付与して電子ペン２に送付し、電子ペン２はＧＰＳ座標位置データに代えてＧＰＳ−ＩＤデータを各トレースデータに対応させて記憶するので、電子ペン２のメモリ部２０５内に、ＧＰＳ座標位置データに対応できるようにトレースデータを記憶させる場合に使用するメモリ容量を抑制することができる。
【００５０】
尚、本実施形態では、電子ペン２から携帯端末装置１にトレースデータを送信（６０２）する際の判断方法として、上記のように図６に示すように書き込みがされていない時間を計数してタイムアウトによりデータを送信（６０２）するようにしたが、本実施形態はこれに限らず、例えば予め特殊シート４上に送信コマンド用のチェックボックスを設け、電子ペン２でそのチェックボックスに記入することで判断しても良い。又、本実施形態では、最初のＧＰＳ−ＩＤデータを要求する携帯端末装置の選択方法として、その時点で電波状態の良い携帯端末装置、又は、ビジーでない携帯端末装置を自動もしくは手動にて選択してもよい。
【００５１】
（実施形態２）
上記した実施の形態１では、一人のユーザが１個の電子ペン２と１台の携帯端末装置１を使用して手書きのトレースデータを入力する場合であったが、複数のユーザが同時に複数の電子ペン２を同時に使用して一台の携帯端末装置１を共用して手書きのトレースデータを入力する場合も考えられる。その場合、携帯端末装置１及びサーバ装置３においてデータが混在する場合がある。以下に説明する本発明の実施形態２では、複数の電子ペン２で一台の携帯端末装置１を共用してトレースデータを入力する場合に、携帯端末装置１及びサーバ装置３においてデータを混在させない手書き入力システムについて説明する。
【００５２】
本発明の実施形態２が上記した実施形態１と異なる主な点は、一台の携帯端末装置１を共用して複数の電子ペンが複数個使用可能であって、電子ペン内に各電子ペンを個別に識別するための電子ペンＩＤデータが格納される点と、電子ペンと携帯端末装置の間の通信、サーバ装置と携帯端末装置の間の通信、及び電子ペンと携帯端末装置とサーバ装置の各メモリ内へのトレースデータの記憶に対応可能であるように電子ペンＩＤデータが用いられる点である。
【００５３】
図１０は、本発明の実施形態２の手書き入力システムの概略構成を示すブロック図である。尚、上記した実施形態１で既に説明された構成要素については図面中に同じ参照番号を付与することで説明を省略する。
図１０では、電子ペン２内に、複数の電子ペンから各々を個別に識別するための電子ペンＩＤデータが格納された電子ペンＩＤ記憶部２０９が設けられている。その他の構成は図１と同様である。
【００５４】
図１１は、図１０の手書き入力システムの動作のシーケンスチャートである。図１２は図１０の電子ペン２の動作を示すフローチャートであり、図１３は図１０の携帯端末装置１の動作を示すフローチャートであり、図１４は、図１０のサーバ装置３の動作を示すフローチャートである。
【００５５】
以下、図１０及び図１１のシーケンスを参照しつつ、図１２、図１３、及び、図１４の各動作ステップに従い動作を説明する。尚、上記した実施形態１で既に説明された動作については図面中に同じシーケンス番号又はステップ番号を付与することで説明を省略する。又、（  ）内の数字は、３桁の数字が図１０に記載され、４桁以上の数字が図１１に記載され、Ｓ番号が図１２、図１３、及び、図１４に記載されたステップ番号である。
【００５６】
図１２において、図１２のステップＳ２２までは、実施形態１の図２及び図３と同様である。
携帯端末装置１からのデータ送信受付通知（５００２）を受信（６０１）した場合（Ｓ２２：Ｙｅｓ）のステップＳ２３ａでは、電子ペン２は、トレースデータ及びそれに対応するＧＰＳ−ＩＤデータと電子ペン時刻データに加えて、電子ペンＩＤ記憶部２０９より読み出された電子ペンＩＤデータのセットを単位としてひとつもしくは複数のセットを、電子ペン２の電子ペン側携帯端末用通信部２０１から携帯端末装置１の電子ペン用通信部１０１に送信（６０２）（４００３−２）する。その他は実施形態１の図２と図３と同様である。
【００５７】
図１３において、ステップＳ４２までは、実施形態１の図３と同様であるが、ステップＳ３４ａでは、携帯端末装置１は、ＧＰＳ座標位置データにＧＰＳ−ＩＤデータと手書き入力手段時刻データと電子ペンＩＤデータを対応させて記憶（５５０３−２）する。
【００５８】
データ送信受付通知を受信（８０１）した場合（Ｓ４２：Ｙｅｓ）のステップＳ４３ａでは、記憶された電子ペンＩＤデータの電子ペン時刻データに対応するトレースデータと、電子ペン時刻データと同じ携帯端末時刻データに対応するＧＰＳ座標位置データを選択し、トレースデータ及び選択されたＧＰＳ座標位置データと手書き入力手段時刻データと電子ペンＩＤデータをサーバ装置３に送信（８０２）（６００２−２）する。
【００５９】
図１５は、ひとつの携帯端末装置１に対して一本の電子ペン２が接続された場合の携帯端末装置１からサーバ装置３に送信（８０２）される各データを示すテーブルである。各トレースデータには対応する電子ペンＩＤデータが記憶されている。その他は実施形態１の図９と同様である。
【００６０】
図１４において、ステップＳ５２までとステップＳ５５は、実施形態１の図５と同様であるが、ステップＳ５３ａでは、サーバ装置３は、携帯端末装置１からのトレースデータ及びＧＰＳ座標位置データと手書き入力手段時刻データと電子ペンＩＤデータ（６００２−２）の受信（８０２）が開始されたか否かを判断する。データ（６００２−２）を受信（８０２）しない場合（Ｓ５３ａ：Ｎｏ）には、再びステップＳ５３ａに戻って処理を繰り返す。データ（６００２−２）を受信（８０２）した場合（Ｓ５３ａ：Ｙｅｓ）には、サーバ側携帯端末用通信部３０１にて受信（８０２）しサーバメモリ部３０２へ各データを記憶（８００２−２）する（Ｓ５４ａ）。その他は実施形態１の図２と図５と同様である。
【００６１】
以上は、携帯端末装置１に対して一本の電子ペン２が接続された場合の例であるが、本実施形態では携帯端末装置１に対して複数の電子ペン２が接続される場合もある。その場合の個々の電子ペン２と携帯端末装置１の間の接続動作は、上記した処理が個別に実施されるのみであるので重複する記載を省略する。一方、携帯端末装置１とサーバ装置３の間の接続動作は、上記とは異なる。例えば、電子ペン２が３本で各電子ペン２から一つの携帯端末装置１にデータのセットを送信（６０２）する場合で、さらに各々の電子ペンには電子ペンＩＤデータ（１）、電子ペンＩＤデータ（３）、電子ペンＩＤデータ（６）が設定された場合について考える。その場合は、例えば電子ペンＩＤデータ（１）、電子ペンＩＤデータ（３）、電子ペンＩＤデータ（６）、電子ペンＩＤデータ（１）、・・・のように時系列にデータのセットを携帯端末装置１に送信（６０２）する必要がある。
【００６２】
図１６は、ひとつの携帯端末装置１に対して複数の電子ペン２が接続された場合の携帯端末装置１からサーバ装置３へ送信されるデータのセットを示すテーブルである。
ステップＳ４３ａでは、図１６に従い、記憶された各電子ペンＩＤデータの電子ペン時刻データに対応するトレースデータと、電子ペン時刻データと同じ携帯端末時刻データに対応するＧＰＳ座標位置データを選択し、各トレースデータ及び選択されたＧＰＳ座標位置データと手書き入力手段時刻データと電子ペンＩＤデータをサーバ装置３に送信（８０２）（６００２−２）する。
【００６３】
以上のように、実施形態２の手書き入力システムによれば、実施形態１の効果に加えて、各々の電子ペンＩＤデータを携帯端末装置１及びサーバ装置３に通知するので、複数のユーザが同時に複数の電子ペン２を同時に使用して手書きのトレースデータを入力しても、携帯端末装置１及びサーバ装置３において、各々の電子ペンＩＤデータを基にトレースデータを各電子ペン毎に分類できるので、データが混在することなく、一台の携帯端末装置１を複数の電子ペン２で共用することができる。又、本実施形態のサーバ装置３では、複数のユーザが同時に複数の電子ペン２を同時に使用して一台の携帯端末装置１を共用して手書きのトレースデータを入力する場合であっても、各々のトレースデータを、電子ペン時刻データに基づいて各電子ペン２毎に手書き入力された時刻の順にソートできるので、サーバ装置３では各々の電子ペン２で入力された順序でトレースデータを記憶及びアプリケーションソフトウェアへの適用が可能となる。
【００６４】
尚、実施形態２では、複数の電子ペン２に各々電子ペンＩＤデータ蓄積部２０９を設け、トレースデータを携帯端末装置１に送信（６０２）する際に電子ペンＩＤを通知することで、携帯端末装置１及びサーバ装置３側では各電子ペン２のトレースデータが混在しなくなり１個の携帯端末装置を複数の電子ペン２で共用できることを示したが、例えば、実施形態１の図７に示したＧＰＳ−ＩＤデータとＧＰＳ座標位置データの対応表に、その電子ペンの送信宛先名を対応付けたものをサーバ装置３に転送する処理を予め実施しておくことでも、サーバ装置３側では、受信（８０２）したトレースデータに付与されたＧＰＳ座標位置データから電子ペンの送信宛先名を特定することが可能である。又、本実施形態では、最初のＧＰＳ−ＩＤデータを要求する携帯端末装置の選択方法として、その時点で電波状態の良い携帯端末装置、又は、ビジーでない携帯端末装置を自動もしくは手動にて選択してもよい。
【００６５】
（実施形態３）
上記した実施の形態１と２では、１個又は複数の電子ペン２を使用して一台の携帯端末装置１を使用して手書きのトレースデータを入力する場合であったが、複数の電子ペン２を使用して複数の携帯端末装置１を使用して手書きのトレースデータを入力する場合も考えられる。その場合、電子ペン２を移動しながら使用中に携帯端末装置１で電子ペン２からのデータを読み取らせると、データを読み取り中の接続先携帯端末装置１が別の携帯端末装置１に変更されてしまう場合がある。すると、携帯端末装置１の変更により、電子ペン２に記憶したＧＰＳ−ＩＤデータに対応するＧＰＳ座標位置データが得られなくなり、ＧＰＳ−ＩＤデータをＧＰＳ座標位置データに変換してサーバ装置３ヘ送信（８０２）できなくなる。以下に説明する本発明の実施形態３では、複数の電子ペン２で複数の携帯端末装置１を使用してトレースデータを入力する場合に、電子ペン２を移動しながら使用中であっても接続先の携帯端末装置１が変更されず、携帯端末装置１でＧＰＳ−ＩＤデータを確実に対応するＧＰＳ座標位置データに変換してサーバ装置３ヘ送信（８０２）できる手書き入力システムについて説明する。
【００６６】
本発明の実施形態３が、上記した実施形態１と異なる主な点は、携帯端末装置及び電子ペンが各々複数個使用可能であって、各携帯端末装置内には、各携帯端末装置を個別に識別するための携帯端末ＩＤデータが格納され、電子ペン内には、各電子ペンと接続される接続先の携帯端末装置の携帯端末ＩＤデータを接続先携帯端末ＩＤデータとして格納する点と、電子ペンと携帯端末装置の間の通信、及び電子ペンと携帯端末装置の各メモリ内へのトレースデータの記憶に対応可能であるように携帯端末ＩＤデータ（接続先携帯端末ＩＤデータ）が用いられる点である。
【００６７】
図１７は、本発明の実施形態３の手書き入力システムの概略構成を示すブロック図である。尚、上記した各実施形態で既に説明された構成要素については図面中に同じ参照番号を付与することで説明を省略する。
図１７では、携帯端末装置１内には、各携帯端末装置を個別に識別するための携帯端末ＩＤデータが格納された携帯端末ＩＤ記憶部１０７が設けられ、電子ペン２内には、各電子ペン２と接続される接続先の携帯端末装置１の携帯端末ＩＤデータを接続先携帯端末ＩＤデータとして格納する接続先携帯端末ＩＤ記憶部２１０が設けられている。その他の構成は図１と同様である。
【００６８】
図１８は、図１７の手書き入力システムの動作のシーケンスチャートである。図１９は図１７の電子ペン２の動作を示すフローチャートであり、図２０は図１７の携帯端末装置１の動作を示すフローチャートである。
【００６９】
以下、図１７及び図１８のシーケンスを参照しつつ、図１９、及び、図２０の各動作ステップに従い動作を説明する。尚、上記した各実施形態で既に説明された動作については図面中に同じシーケンス番号又はステップ番号を付与することで説明を省略する。又、（  ）内の数字は、３桁の数字が図１７に記載され、４桁以上の数字が図１８に記載され、Ｓ番号が図１９、及び、図２０に記載されたステップ番号である。又、本実施形態のサーバ装置３側の動作については、実施の形態１のサーバ装置３の動作と同様であるので記載を省略する。
【００７０】
図１９において、図１９のステップＳ１２までと、ステップＳ１４からＳ２０までと、Ｓ２２は、実施形態１の図２及び図３と同様である。
筆圧ＯＮが検知され（Ｓ１１：Ｙｅｓ）、電子ペン時刻データを取得した（３００１）（Ｓ１２）場合の電子ペン２は、（２００１）の筆圧ＯＮをトリガとして、接続先携帯端末ＩＤ記憶部２１０から予め設定された接続先となる携帯端末装置１を識別可能な接続先携帯端末ＩＤデータを読み出し（Ｓ２４）、ＧＰＳ−ＩＤデータを取得するための送信要求に接続先携帯端末ＩＤデータを付与して、電子ペン側携帯端末用通信部２０１及び携帯端末装置１の電子ペン用通信部１０１を介して、携帯端末装置１へ送信（６０２）（４００１−３）する（Ｓ１３ａ）。
【００７１】
電子ペン２は、上記ステップＳ１８において、ＧＰＳ−ＩＤデータを受信（６０１）して記憶した後で、トレースデータ及びそれに対応するＧＰＳ−ＩＤデータを携帯端末装置１に送信（６０２）（４００３−３）する前に、携帯端末装置１にデータ送信の受付要求を、接続先携帯端末ＩＤデータを付与して送信（６０２）（４００２−３）する（Ｓ２１ａ）。
【００７２】
電子ペン２は、携帯端末装置１の電子ペン用通信部１０１から、データ送信受付（５００２）を受信（６０１）した場合（Ｓ２２：Ｙｅｓ）には、トレースデータ及びそれに対応するＧＰＳ−ＩＤデータと電子ペン時刻データと接続先携帯端末ＩＤデータのセットを単位としてひとつもしくは複数のセットを、電子ペン２の電子ペン側携帯端末用通信部２０１から携帯端末装置１の電子ペン用通信部１０１に送信（６０２）（４００３−３）する（Ｓ２３ｂ）。その他は実施形態１の図２と図３と同様である。
【００７３】
図２０において、ステップＳ３１からＳ３３までと、Ｓ３５、ステップＳ３６からＳ３８までと、ステップＳ３９からＳ４３までは、実施形態１の図３と同様である。
携帯端末装置１は、電子ペン２から接続先携帯端末ＩＤデータが付与されたＧＰＳ−ＩＤデータ要求を受信（６０２）（４００１−３）したか否かを判断（Ｓ４４）し、ＧＰＳ−ＩＤデータ要求を受信（６０２）しない場合（Ｓ４４：Ｎｏ）には、再度ステップＳ４４の待ち受け処理を繰り返し、ＧＰＳ−ＩＤデータ要求を受信（６０２）した場合（Ｓ４４：Ｙｅｓ）には、ステップＳ３１の処理の前に、予め登録された自装置（携帯端末装置１）の携帯端末ＩＤデータを携帯端末ＩＤ記憶部１０７から読み出し、電子ペン２から受信（６０２）した接続先携帯端末ＩＤデータと一致するか否かを判断する（５５００−３）（Ｓ４５）。接続先携帯端末ＩＤデータと一致しない場合（Ｓ４５：Ｎｏ）には、再度ステップＳ４４に戻って待ち受け処理を繰り返し、接続先携帯端末ＩＤデータと一致した場合（Ｓ４５：Ｙｅｓ）には、ステップＳ３１の処理に進む。
【００７４】
ステップＳ３４ｂでは、携帯端末装置１は、ＧＰＳ座標位置データにＧＰＳ−ＩＤデータと携帯端末時刻データと携帯端末ＩＤデータを対応させて記憶（５５０３−３）する。
【００７５】
携帯端末装置１は、電子ペン２からのＧＰＳ−ＩＤデータの送信要求を受信（６０２）しない場合（Ｓ３１：Ｎｏ）には、携帯端末ＩＤ記憶部１０７から予め登録された自装置の携帯端末ＩＤデータを読み出し、電子ペン２から受信（６０２）した接続先の携帯端末ＩＤデータと一致するか否かを判断する（Ｓ４６）。接続先携帯端末ＩＤデータと一致しない場合（Ｓ４６：Ｎｏ）には、再度ステップＳ３１に戻って待ち受け処理を繰り返し、接続先携帯端末ＩＤデータと一致した場合（Ｓ４６：Ｙｅｓ）には、その要求を受付（５５０４−３）して、ステップＳ３６に進む。携帯端末装置１は、ステップＳ３６で受付要求（４００２−３）を受信（６０２）した場合（Ｓ３６：Ｙｅｓ）には、ステップＳ３７に進む。
【００７６】
携帯端末装置１は、ステップ３８でデータ受信（６０２）が開始された場合（Ｓ３８：Ｙｅｓ）には、携帯端末ＩＤ記憶部１０７から予め登録された自装置の携帯端末ＩＤデータを読み出し、電子ペン２から受信（６０２）した接続先携帯端末ＩＤデータと一致するか否かを判断する（Ｓ４７）。接続先携帯端末ＩＤデータと一致しない場合（Ｓ４７：Ｎｏ）には、再度ステップＳ３８に戻って待ち受け処理を繰り返し、接続先携帯端末ＩＤデータと一致した場合（Ｓ４７：Ｙｅｓ）には、ステップＳ３９に進んで携帯端末ＩＤデータが一致したＧＰＳ−ＩＤデータと電子ペン時刻データのみを受信（６０２）して記憶し、ＧＰＳ−ＩＤデータをＧＰＳ座標位置データに変換（５５１０−３）する。
その他は実施形態１の図２と図４と同様である。
【００７７】
図２１は、複数の携帯端末装置１に対して複数の電子ペン２が接続された場合の携帯端末装置１からサーバ装置３に送信（８０２）される各データを示すテーブルである。この各データは実施形態１の図９と同様であるので、本実施形態のサーバ装置３側の動作は、実施の形態１のサーバ装置３の動作と同様であることが理解できる。
【００７８】
以上のように、実施形態２の手書き入力システムによれば、実施形態１の効果に加えて、電子ペン２側から同じ携帯端末装置１の携帯端末ＩＤを継続して指定できる構成としたので、複数の電子ペン２で複数の携帯端末装置１を使用してトレースデータを入力する場合に、電子ペン２を移動しながら使用中であっても接続先の携帯端末装置１が変更されず、携帯端末装置１でＧＰＳ−ＩＤデータを確実に対応するＧＰＳ座標位置データに変換してサーバ装置３ヘ送信（８０２）できる。又、本実施形態のサーバ装置３では、複数のユーザが同時に複数の電子ペン２を同時に使用して複数の携帯端末装置１を使用して手書きのトレースデータを入力する場合であっても、各々のトレースデータを、電子ペン時刻データに基づいて各電子ペン２毎に手書き入力された時刻の順にソートできるので、サーバ装置３では各々の電子ペン２で入力された順序でトレースデータを記憶及びアプリケーションソフトウェアへの適用が可能となる。
【００７９】
尚、実施形態３では、複数の電子ペン２に各々接続先携帯端末ＩＤ記憶部２１０を設け、複数の携帯端末装置１に各々携帯端末ＩＤ記憶部１０７を設けて、電子ペン２側から予め設定された携帯端末ＩＤデータにより特定の携帯端末装置を指定することで、同じ携帯端末装置を継続的に利用できることを示したが、例えば、特定の携帯端末装置１と特定の電子ペン２の距離が継続的に近い場合等には、電子ペン２に各々接続先携帯端末ＩＤ記憶部２１０を設ける代わりに、電子ペン２に近くにある携帯端末装置をサーチする手段を設けて、同じ携帯端末装置を継続的に利用しても良い。
【００８０】
（実施形態４）
上記した実施の形態３では、複数の電子ペン２を使用して複数の携帯端末装置１を使用して手書きのトレースデータを入力する場合に、電子ペン２側から同じ携帯端末装置１の携帯端末ＩＤを継続して指定して、電子ペン２を移動しながら使用中であっても接続先の携帯端末装置１が変更されず、携帯端末装置１でＧＰＳ−ＩＤデータを確実に対応するＧＰＳ座標位置データに変換できるようにしたが、電子ペン２を移動しながら使用中に接続先の携帯端末装置１を固定した場合には、接続先の携帯端末装置１と電子ペン２とが何らかの理由で通信できなくなる場合がある。以下に説明する本発明の実施形態４では、複数の電子ペン２で複数の携帯端末装置１を使用してトレースデータを入力する場合に、電子ペン２を移動しながら使用中であって、使用中の電子ペン２から接続先の携帯端末装置１へのトレースデータの送信途中で接続先の携帯端末装置１が変更されても、トレースデータ送信（６０２）時にはトレースデータ取得時のＧＰＳ−ＩＤデータに対応する携帯端末装置１を指定できる手書き入力システムについて説明する。
【００８１】
本発明の実施形態４が、上記した実施形態３と異なる主な点は、各携帯端末装置内のみに、各携帯端末装置を個別に識別するための携帯端末ＩＤデータが格納される点と、電子ペンから携帯端末装置１に通信により携帯端末ＩＤデータが要求されて、電子ペンと携帯端末装置の各メモリ内へのトレースデータの記憶に対応可能であるように携帯端末ＩＤデータが用いられる点である。
【００８２】
図２２は、本発明の実施形態４の手書き入力システムの概略構成を示すブロック図である。尚、上記した各実施形態で既に説明された構成要素については図面中に同じ参照番号を付与することで説明を省略する。
図２２では、携帯端末装置１内には、各携帯端末装置を個別に識別するための携帯端末ＩＤデータが格納された携帯端末ＩＤ記憶部１０７が設けられている。その他の構成は図１と同様である。
【００８３】
図２３は、図２２の手書き入力システムの動作のシーケンスチャートである。図２４は図２２の電子ペン２の動作を示すフローチャートであり、図２５は図２２の携帯端末装置１の動作を示すフローチャートである。
【００８４】
以下、図２２及び図２３のシーケンスを参照しつつ、図２４、及び、図２５の各動作ステップに従い動作を説明する。尚、上記した各実施形態で既に説明された動作については図面中に同じシーケンス番号又はステップ番号を付与することで説明を省略する。又、（  ）内の数字は、３桁の数字が図２２に記載され、４桁以上の数字が図２３に記載され、Ｓ番号が図２４、及び、図２５に記載されたステップ番号である。又、本実施形態のサーバ装置３側の動作については、実施の形態１のサーバ装置３の動作と同様であるので記載を省略する。
【００８５】
図２４において、図２４のステップＳ１２までと、ステップＳ１４、Ｓ１６、Ｓ１７、Ｓ１９、Ｓ２０、Ｓ２２は、実施形態１の図２及び図３と同様である。筆圧ＯＮが検知され（Ｓ１１：Ｙｅｓ）、電子ペン時刻データを取得した（３００１）（Ｓ１２）場合の電子ペン２は、（２００１）の筆圧ＯＮをトリガとして、ＧＰＳ−ＩＤデータを取得するための送信要求に接続先となる携帯端末装置１の携帯端末ＩＤデータの取得要求を付与して、電子ペン側携帯端末用通信部２０１及び携帯端末装置１の電子ペン用通信部１０１を介して、携帯端末装置１へ送信（６０２）（４００１−４）する（Ｓ１３ｂ）。
【００８６】
電子ペン２は、ステップＳ１５ａにおいて、ＧＰＳ−ＩＤデータ及び携帯端末ＩＤデータを受信（６０１）したか否かを判断し（Ｓ１５ａ）、ＧＰＳ−ＩＤデータ及び携帯端末ＩＤデータを受信（６０１）していない場合（Ｓ１５ａ：Ｎｏ）には、ステップＳ１５の判断を繰り返し、ＧＰＳ−ＩＤデータ及び携帯端末ＩＤデータを受信（６０１）している場合（Ｓ１５ａ：Ｙｅｓ）には、ステップＳ１６に進む。電子ペン２は、ステップＳ１８ａにおいて、ＧＰＳ−ＩＤデータをトレースデータと電子ペン時刻データと携帯端末ＩＤデータと対応させて記憶（３００４−４）する。電子ペン２は、上記ステップＳ１８において、ＧＰＳ−ＩＤデータを受信（６０１）して記憶した後で、トレースデータ及びそれに対応するＧＰＳ−ＩＤデータを携帯端末装置１に送信（６０２）（４００３−４）する前に、携帯端末装置１にデータ送信の受付要求を、トレースデータに対応する携帯端末ＩＤデータを付与して送信（６０２）（４００２−４）する（Ｓ２１ｂ）。
【００８７】
電子ペン２は、携帯端末装置１の電子ペン用通信部１０１から、データ送信受付（５００２）を受信（６０１）した場合（Ｓ２２：Ｙｅｓ）には、トレースデータ及びそれに対応するＧＰＳ−ＩＤデータと電子ペン時刻データとトレースデータに対応する携帯端末ＩＤデータのセットを単位としてひとつもしくは複数のセットを、電子ペン２の電子ペン側携帯端末用通信部２０１から携帯端末装置１の電子ペン用通信部１０１に送信（６０２）（４００３−４）する（Ｓ２３ｃ）。その他は実施形態１の図２と図３と同様である。
【００８８】
図２５において、ステップＳ３２、Ｓ３３、ステップＳ３６からＳ３８までと、ステップＳ３９からＳ４３までは、実施形態１の図３と同様である。携帯端末装置１は、電子ペン２から接続先の携帯端末ＩＤデータが付与されたＧＰＳ−ＩＤデータ要求を受信（６０２）（４００１−４）したか否かを判断（Ｓ４４）し、ＧＰＳ−ＩＤデータ要求を受信（６０２）しない場合（Ｓ４４：Ｎｏ）には、再度ステップＳ４４の待ち受け処理を繰り返し、ＧＰＳ−ＩＤデータ要求を受信（６０２）した場合（Ｓ４４：Ｙｅｓ）には、電子ペン２からのＧＰＳ−ＩＤデータと携帯端末ＩＤデータの送信要求が有ったか否かを判断する（Ｓ３１ａ）。電子ペン２からのＧＰＳ−ＩＤデータと携帯端末ＩＤデータの送信要求を受信（６０２）した場合（Ｓ３１ａ：Ｙｅｓ）には、帯端末装置１は、ＧＰＳデータ取得部１０３によりＧＰＳ座標位置データを取得（５５０１）し（Ｓ３２）、ＧＰＳ座標位置データに対してＧＰＳ−ＩＤデータを生成して付与（５５０２）することでＧＰＳ−ＩＤを取得し（Ｓ３３）、ＧＰＳ座標位置データにＧＰＳ−ＩＤデータと手書き入力手段時刻データと携帯端末ＩＤデータを対応させて記憶（５５０３−４）する（Ｓ３４ｂ）と共に、そのＧＰＳ−ＩＤデータと携帯端末ＩＤデータを電子ペン２に送信（６０１）（５００１−４）する（Ｓ３５ａ）。
【００８９】
携帯端末装置１は、電子ペン２からのＧＰＳ−ＩＤデータと携帯端末ＩＤデータの送信要求を受信（６０２）しない場合（Ｓ３１ａ：Ｎｏ）には、携帯端末ＩＤ記憶部１０７から予め登録された自装置の携帯端末ＩＤデータを読み出し、電子ペン２から受信（６０２）した接続先の携帯端末ＩＤデータと一致するか否かを判断する（Ｓ４６）。接続先携帯端末ＩＤデータと一致しない場合（Ｓ４６：Ｎｏ）には、再度ステップＳ４４に戻って待ち受け処理を繰り返し、接続先携帯端末ＩＤデータと一致した場合（Ｓ４６：Ｙｅｓ）には、その要求を受付（５５０４−４）して、ステップＳ３６に進む。携帯端末装置１は、電子ペン２からのＧＰＳ−ＩＤデータの送信要求を受信（６０２）しない場合（Ｓ３１：Ｎｏ）には、データ送信の受付要求（４００２）を受信（６０２）したか否かを判断し（Ｓ３６）、受付要求を受信（６０２）しない場合（Ｓ３６：Ｎｏ）には、再びステップＳ４４に戻って以降の処理を繰り返し、受付要求（４００２−４）を受信（６０２）した場合（Ｓ３６：Ｙｅｓ）には、ステップＳ３７に進む。
【００９０】
携帯端末装置１は、ステップ３８でデータ受信（６０２）が開始された場合（Ｓ３８：Ｙｅｓ）には、携帯端末ＩＤ記憶部１０７から予め登録された自装置の携帯端末ＩＤデータを読み出し、電子ペン２から受信（６０２）した接続先携帯端末ＩＤデータと一致するか否かを判断する（Ｓ４７）。接続先携帯端末ＩＤデータと一致しない場合（Ｓ４７：Ｎｏ）には、再度ステップＳ３８に戻って待ち受け処理を繰り返し、接続先携帯端末ＩＤデータと一致した場合（Ｓ４７：Ｙｅｓ）には、ステップＳ３９に進んで携帯端末ＩＤデータが一致したＧＰＳ−ＩＤデータと電子ペン時刻データのみを受信（６０２）して記憶し、ＧＰＳ−ＩＤデータをＧＰＳ座標位置データに変換（５５１０−４）する。その他は実施形態１の図２と図４と同様である。
【００９１】
図２６は、実施形態４の電子ペン２のメモリ部２０５に蓄積された電子ペンデータ番号、電子ペン時刻データ、ＧＰＳ−ＩＤデータ、トレースデータ、及び携帯端末ＩＤデータとの一例を示すテーブルである。
図２６では、図８の各トレースデータに対応させて携帯端末ＩＤデータが記憶される。トレースデータ１には携帯端末ＩＤデータＡが対応し、トレースデータ２には携帯端末ＩＤデータＢが対応し、トレースデータ２０には携帯端末ＩＤデータＴが対応している。メモリ部２０５内では、図２６に示したように、電子ペンデータＮｏ．００１には、電子ペン時刻データ１と、ＧＰＳ−ＩＤ−１と、トレースデータ１と携帯端末ＩＤデータＡが各々対応するように蓄積され、電子ペンデータＮｏ．００２には、電子ペン時刻データ２と、ＧＰＳ−ＩＤ−Ｂ−２１と、トレースデータ２と携帯端末ＩＤデータＢが各々対応するように蓄積され、電子ペンデータＮｏ．００２０には、電子ペン時刻データ２０と、ＧＰＳ−ＩＤ−２０と、トレースデータ２０と携帯端末ＩＤデータＴが各々対応するように蓄積される。
【００９２】
図２７は、実施形態４の電子ペン２が複数の携帯端末装置と通信しつつ電子ペン２のメモリ部２０５に蓄積された電子ペンデータ番号、電子ペン時刻データ、ＧＰＳ−ＩＤデータ、トレースデータ、及び携帯端末ＩＤデータとの一例を示すテーブルである。
電子ペンデータ番号（Ｎｏ．）欄の００１〜００４は、電子ペンにトレースデータが蓄積される毎に、個々のデータの識別および順番付けのために付与される昇順の連続番号である。この番号は３桁に限らず、電子ペンに蓄積されるトレースデータの量に応じて、１桁や２桁、あるいはさらに多くの桁数を有していてもよい。電子ペン内蓄積データ欄の電子ペン時刻データ１〜４は、各々電子ペン２にトレースデータ１〜４が蓄積される時に電子ペン時計部２０４で検出された電子ペン時刻データである。ＧＰＳ−ＩＤ−Ａ−１、ＧＰＳ−ＩＤ−Ｂ−２１、ＧＰＳ−ＩＤ−Ａ−６、ＧＰＳ−ＩＤ−Ｃ−７は、各々電子ペン２にトレースデータ１〜４が蓄積される時に異なる携帯端末装置１から受信（６０１）した各々のＧＰＳ−ＩＤデータである。トレースデータ１〜４は、筆圧ＯＮから筆圧ＯＦＦまでの手書き画像がイメージセンサ部２０３で撮像されて電子ペンプロセッサ部２０６で生成されたトレースデータである。メモリ部２０５内では、図２７に示したように、電子ペンデータＮｏ．００１には、電子ペン時刻データ１と、ＧＰＳ−ＩＤ−Ａ−１と、トレースデータ１と携帯端末ＩＤデータＡが各々対応するように蓄積され、電子ペンデータＮｏ．００２には、電子ペン時刻データ２と、ＧＰＳ−ＩＤ−Ｂ−２１と、トレースデータ２と携帯端末ＩＤデータＢが各々対応するように蓄積され、電子ペンデータＮｏ．００３には、電子ペン時刻データ３と、ＧＰＳ−ＩＤ−Ａ−６と、トレースデータ３と携帯端末ＩＤデータＡが各々対応するように蓄積され、電子ペンデータＮｏ．００４には、電子ペン時刻データ４と、ＧＰＳ−ＩＤ−Ｃ−７と、トレースデータ４と携帯端末ＩＤデータＣが各々対応するように蓄積される。
【００９３】
図２８（ａ）〜（ｃ）は、図２７の各データが各々対応する携帯端末装置に送信されて記憶された場合の一例を示すテーブルである。
図２８（ａ）は、携帯端末ＩＤがＡの携帯端末装置に送信（６０２）されて記憶された電子ペンデータ番号、電子ペン時刻データ、ＧＰＳ−ＩＤデータ、トレースデータであり、図２７におけるデータ番号が００１と００３のデータである。図２８（ｂ）は、携帯端末ＩＤがＢの携帯端末装置に送信（６０２）されて記憶された電子ペンデータ番号、電子ペン時刻データ、ＧＰＳ−ＩＤデータ、トレースデータであり、図２７におけるデータ番号が００２のデータである。図２８（ｃ）は、携帯端末ＩＤがＣの携帯端末装置に送信（６０２）されて記憶された電子ペンデータ番号、電子ペン時刻データ、ＧＰＳ−ＩＤデータ、トレースデータであり、図２７におけるデータ番号が００４のデータである。本実施形態では、この図２８（ａ）〜（ｃ）のように電子ペン２内に蓄積されたトレースデータは、それらに対応するＧＰＳ−ＩＤデータが得られた携帯端末装置に確実に送信（６０２）されて記憶される。従って、ＧＰＳ−ＩＤデータは携帯端末装置側で確実にＧＰＳ座標位置データに変換することができる。
【００９４】
本実施形態のサーバ装置３側の動作は、実施形態３と同様に実施の形態１のサーバ装置３の動作と同様であるので説明を省略する。
【００９５】
このように実施形態４では、電子ペン２からのＧＰＳ−ＩＤデータの要求があった時に、携帯端末装置からはＧＰＳ−ＩＤデータに加えて携帯端末ＩＤデータを通知し、電子ペン２にＧＰＳ−ＩＤデータに対応する携帯端末ＩＤデータを記憶させることにより、ＧＰＳ−ＩＤデータに対応するＧＰＳ座標位置データが記憶されている携帯端末装置を特定できるようにして、複数の携帯端末装置が用いられる中でＧＰＳ−ＩＤデータが確実にＧＰＳ座標位置データに変換できるようにした。
【００９６】
以上のように、実施形態４によれば、実施形態１の効果に加えて、電子ペン２は、携帯端末装置に対してＧＰＳ−ＩＤデータを要求する際に、そのＧＰＳ−ＩＤデータを得た携帯端末装置の携帯端末ＩＤデータも要求し、ＧＰＳ−ＩＤデータと共に携帯端末ＩＤデータも対応させて記憶し、電子ペン２から携帯端末装置にトレースデータを送信（６０２）する時には、そのトレースデータ取得時のＧＰＳ−ＩＤデータに対応する携帯端末ＩＤデータにより携帯端末装置を指定して送信（６０２）する。移動中の電子ペン２の通信相手の携帯端末装置が変更されていても、トレースデータを送信（６０２）する時には、そのトレースデータ取得時のＧＰＳ−ＩＤデータに対応する携帯端末ＩＤデータにより指定される携帯端末装置に送信（６０２）するので、電子ペン２がトレースデータ読み取り中に記憶したＧＰＳ−ＩＤデータが携帯端末装置側で確実にＧＰＳ座標位置データに変換されてサーバ装置３ヘ送信（８０２）できる。
【００９７】
又、本実施形態のサーバ装置３では、複数のユーザが同時に複数の電子ペン２を同時に使用して複数の携帯端末装置１を使用して手書きのトレースデータを入力する場合であって、更にトレースデータ送信において経由する携帯端末装置が複数であっても、各々のトレースデータを、電子ペン時刻データに基づいて各電子ペン２毎に手書き入力された時刻の順にソートできるので、サーバ装置３では各々の電子ペン２で入力された順序でトレースデータを記憶及びアプリケーションソフトウェアへの適用が可能である。
【００９８】
尚、本実施形態では、最初のＧＰＳ−ＩＤデータを要求する携帯端末装置の選択方法として、その時点で電波状態の良い携帯端末装置、又は、ビジーでない携帯端末装置を自動もしくは手動にて選択してもよい。
【図面の簡単な説明】
【００９９】
【図１】本発明の実施形態１の手書き入力システムの概略構成を示すブロック図である。
【図２】図１の手書き入力システムの動作のシーケンスチャートである。
【図３】図１の電子ペン２の動作を示すフローチャートである。
【図４】図１の携帯端末装置１の動作を示すフローチャートである。
【図５】図１のサーバ装置３の動作を示すフローチャートである。
【図６】図１の電子ペン２における蓄積されたデータを携帯端末装置１に送信する送信条件のフローチャートである。
【図７】本発明の実施形態１の携帯端末装置１のメモリ部１０６に蓄積されるＧＰＳ−ＩＤデータ、及びＧＰＳ座標位置データ一例を示すテーブルである。
【図８】本発明の実施形態１の電子ペン２のメモリ部２０５に蓄積された電子ペンデータ番号、電子ペン時刻データ、ＧＰＳ−ＩＤデータ、及びトレースデータの一例を示すテーブルである。
【図９】本発明の実施形態１の電子ペン２から受信した図８のテーブルのデータ中のＧＰＳ−ＩＤデータを、図７のテーブルによりＧＰＳ座標位置データに変換して実施形態１の携帯端末装置１のメモリ部１０６に蓄積された電子ペンデータ番号、電子ペン時刻データ、ＧＰＳ−ＩＤデータ、及びトレースデータの一例を示すテーブルである。
【図１０】本発明の実施形態２の手書き入力システムの概略構成を示すブロック図である。
【図１１】図１０の手書き入力システムの動作のシーケンスチャートである。
【図１２】図１０の電子ペン２の動作を示すフローチャートである。
【図１３】図１０の携帯端末装置１の動作を示すフローチャートである。
【図１４】図１０のサーバ装置３の動作を示すフローチャートである。
【図１５】本発明の実施形態２のひとつの携帯端末装置１に対して一本の電子ペン２が接続された場合の携帯端末装置１からサーバ装置３に送信される各データを示すテーブルである。
【図１６】本発明の実施形態２のひとつの携帯端末装置１に対して複数の電子ペン２が接続された場合の携帯端末装置１からサーバ装置３へ送信されるデータのセットを示すテーブルである。
【図１７】本発明の実施形態３の手書き入力システムの概略構成を示すブロック図である。
【図１８】図１７の手書き入力システムの動作のシーケンスチャートである。
【図１９】図１７の電子ペン２の動作を示すフローチャートである。
【図２０】図１７の携帯端末装置１の動作を示すフローチャートである。
【図２１】本発明の実施形態３の複数の携帯端末装置１に対して複数の電子ペン２が接続された場合の携帯端末装置１からサーバ装置３に送信される各データを示すテーブルである。
【図２２】本発明の実施形態４の手書き入力システムの概略構成を示すブロック図である。
【図２３】図２２の手書き入力システムの動作のシーケンスチャートである。
【図２４】図２２の電子ペン２の動作を示すフローチャートである。
【図２５】図２２の携帯端末装置１の動作を示すフローチャートである。
【図２６】本発明の実施形態４の電子ペン２のメモリ部２０５に蓄積された電子ペンデータ番号、電子ペン時刻データ、ＧＰＳ−ＩＤデータ、トレースデータ、及び携帯端末ＩＤデータとの一例を示すテーブルである。
【図２７】本発明の実施形態４の電子ペン２が複数の携帯端末装置と通信しつつ電子ペン２のメモリ部２０５に蓄積された電子ペンデータ番号、電子ペン時刻データ、ＧＰＳ−ＩＤデータ、トレースデータ、及び携帯端末ＩＤデータとの一例を示すテーブルである。
【図２８】（ａ）〜（ｃ）は図２７の各データが各々対応する携帯端末装置に送信されて記憶された場合の一例を示すテーブルである。
【符号の説明】
【０１００】
１  携帯端末装置、  ２  電子ペン、  ３  サーバ装置、  ４  特殊シート、  １０１  電子ペン用通信部（手書き入力手段用通信部）、  １０２  サーバ用通信部、  １０３  ＧＰＳデータ取得部（現在位置データ取得部）、  １０４  携帯端末メモリ部、  １０５  携帯端末プロセッサ部、  １０６  携帯端末時計部（携帯端末時計部）、  １０７  携帯端末ＩＤ記憶部、  ２０１  電子ペン側携帯端末用通信部（手書き入力手段側携帯端末用通信部）、  ２０２  ペン圧力感知部、  ２０３  イメージセンサ部、  ２０４  電子ペン時計部（手書き入力手段時計部）、  ２０５  電子ペンメモリ部（手書き入力手段メモリ部）、  ２０６  電子ペンプロセッサ部（手書き入力手段プロセッサ部）、  ２０７  バッテリー部、  ２０８  筆記部、  ２０９  電子ペンＩＤ記憶部、  ２１０  接続先携帯端末ＩＤ記憶部、  ３０１  サーバ側携帯端末用通信部、  ３０２  サーバメモリ部、  ３０３  サーバプロセッサ部。
【図１】
2008242929.tif 000003
【図２】
2008242929.tif 000004
【図３】
2008242929.tif 000005
【図４】
2008242929.tif 000006
【図５】
2008242929.tif 000007
【図６】
2008242929.tif 000008
【図７】
2008242929.tif 000009
【図８】
2008242929.tif 000010
【図９】
2008242929.tif 000011
【図１０】
2008242929.tif 000012
【図１１】
2008242929.tif 000013
【図１２】
2008242929.tif 000014
【図１３】
2008242929.tif 000015
【図１４】
2008242929.tif 000016
【図１５】
2008242929.tif 000017
【図１６】
2008242929.tif 000018
【図１７】
2008242929.tif 000019
【図１８】
2008242929.tif 000020
【図１９】
2008242929.tif 000021
【図２０】
2008242929.tif 000022
【図２１】
2008242929.tif 000023
【図２２】
2008242929.tif 000024
【図２３】
2008242929.tif 000025
【図２４】
2008242929.tif 000026
【図２５】
2008242929.tif 000027
【図２６】
2008242929.tif 000028
【図２７】
2008242929.tif 000029
【図２８】
2008242929.tif 000030